(57)【要約】【課題】  シリコーンの塗布（乾燥時間を含む）に要する時間を短縮することができるシリコーンを塗布した縫合針と、その製造方法を提供する。【解決手段】  所定の断面形状を有する胴部１５と、該胴部１５に続き、鋭利に尖った針先１３に向かって徐々に細くなるテーパ部１４とを有する縫合針１０を複数本平面上に支持し、支持された縫合針１０の一方側から前記テーパ部１４に液状のシリコーンを噴霧してテーパ部１４の他方側までシリコーンを塗布し、室温で乾燥する。こうした塗布を複数回したのち、シリコーンを加熱乾燥させる。【選択図】      図１
2012050477.tif 000002
【特許請求の範囲】
【請求項１】
所定の断面形状を有する胴部と、該胴部に続き、先端に向かって徐々に細くなるテーパ部と、を有する縫合針であって、
該縫合針が、該縫合針の一方の側面側から液状のシリコーンを噴霧されて前記テーパ部の他方の側面側までシリコーンを塗布され、少なくとも前記胴部の一部にシリコーンが付着しない部分を有することを特徴とするシリコーンを塗布した縫合針。
【請求項２】
前記縫合針の先端にシリコーンが塗布されていることを特徴とする、請求項１に記載のシリコーンを塗布した縫合針。
【請求項３】
所定の断面形状を有する胴部と、該胴部に続き、先端に向かって徐々に細くなるテーパ部と、を有する縫合針を支持する工程と、支持された縫合針の一方の側面側から液状のシリコーンを噴霧して前記テーパ部の他方の側面側までシリコーンを塗布する工程と、を有することを特徴とするシリコーンを塗布した縫合針の製造方法。
【発明の詳細な説明】
【技術分野】
【０００１】
本発明は外科手術に使用する縫合針に関し、特に、縫合針にシリコーンを塗布した縫合針とそれを製造する方法とに関する。
【背景技術】
【０００２】
医療用縫合針は、その用途に応じて多様な種類がある。その中で代表的なものとして、角針、丸針が挙げられる。角針は、一般的に皮膚、筋肉等の硬組織の縫合に用いられ、鋭利に尖らせた先端と多角錘状のテーパ部と、その基端側に形成され所定の断面形状を有する胴部と、を有し、テーパ部における所定の稜線がそれぞれ切刃となって組織を切り開いていくものである。胴部の断面形状は、三角形、四角形、等の多角形の他、円形や長円形状のものがある。
【０００３】
丸針は、先端と、円錐状のテーパ部と、その基端側に形成され所定の断面形状を有する胴部と、を有する。円錐状のテーパ部や胴部の断面形状は、円形が普通であるが、ほぼ平行な２平面を有する長円形状や、４平面を有するものや、鼓形状のものもある。ただし、角針のように稜線を鋭くして切刃として使用することはない。
【０００４】
丸針は、針先端で組織に穿孔した後、テーパ部でこの穴を拡大していくが、角針のように切刃が無いので、組織をみだりに切断することがない。そのため、穿孔部の生体組織が糸の表面に密着し、縫合部から体液などが漏洩することを防止できる。このような特性から、丸針は、主として血管や、軟組織の縫合に用いられている。
【０００５】
医療用縫合針は、通常、次のようにして製造される。まず、所定の太さの線材を所定の長さに切断する。次に、この素材の一端に、縫合糸との係合部を形成する。この係合部としては、たとえば、軸方向に穿設された止まり穴や、弾機孔などがある。次いで、角針の場合は素材を所定の断面形状にプレス加工し胴部を形成した後、研削加工により切刃を形成し、テーパ部および先端を形成する。丸針の場合は、先端部分を砥石等により研削し、テーパ部および先端を形成する。そして、粗いバフ研磨や、細かい砥石等による研削を行った後、細かいバフ研磨や電解研磨等により研削条を取り去って鏡面に仕上げ、所定の形状に曲げ、熱処理、表面処理をして完成する。
【０００６】
ところで、針の切れ味、すなわち刺通抵抗の低減については、ユーザからの要求レベルが非常に高くなってきている。三角縫合針など、角錐型のテーパ部における切刃(エッジ)が組織を切り開きながら進む角針であっても、生体組織と針の表面との摩擦抵抗が大きくなる場合は刺通抵抗を増加させる原因になる為、刺通抵抗を可及的に低減させるための研究が日々行われている。そして、切刃の無い丸針は、特に刺通抵抗を低減させることが難しい。
【０００７】
この問題に対し、従来は、針の表面を鏡面に仕上げることで刺通抵抗を下げるようにしてきた。すなわち、上記の製造工程における、仕上げの表面処理として、バフ研磨仕上法、電解研磨仕上法、化学研磨仕上法などを行うことにより鏡面を得るようにしていた。
【０００８】
バフ研磨仕上げは、細かな砥粒を付けた木綿布、フェルトなどを回転させて被研磨材に当て、砥粒で研磨仕上げをするもので、針先端部や胴部を鏡面状に仕上げることができる。
【０００９】
電解研磨仕上法は、電解液中に縫合針を浸漬して、電気を通して電解させ、その表面を溶解させるものである。化学研磨仕上法は、電解研磨仕上法とは異なって、電流を強制的に流さずに酸によって針の表面を溶解するようにした方法である。この場合でも仕上げ研磨された表面は鏡面状となっている。
【００１０】
しかし、上記の仕上げ方法では、肉眼で見る限りは平滑な鏡面であるが、顕微鏡的に視ると、鏡面ではない。たとえば、バフ仕上げの場合は、砥粒による多数の筋状の凹凸がある。
【００１１】
また、電解研磨の場合でも、顕微鏡的に視ると、電解時に発生するガスが表面に付着することによって浅いクレータ状の凹凸ができているのが確認できる。化学研磨の場合には、電解研磨と同じガスによるクレータ状の凹凸の他に、材料の結晶粒ごとの研磨され易い結晶粒と、そうでない結晶粒とによっても針の表面に浅い凹凸が形成されている。
【００１２】
このように、鏡面仕上げだけでは、刺通抵抗を低減させるには限度がある。これに対し、テーパ部にシリコーンをコーティングすることも行われている。
【００１３】
特許文献１には、アミノアルキルシロキサン及びそれと共重合し得る少なくとも一種のその他のシロキサンを含むシリコーン処理材料を使用することで、通常のシリコーンコーティングより刺通抵抗を低減できることが記載されている。
【００１４】
特許文献２には、丸針の先端のテーパ部の一部に軸方向に沿って凹凸条面を形成し、その上からシリコーンをコーティングした縫合針を提案している。凹凸条面により縫合針と生体組織との間に、微細な隙間ができ、生体組織との接触面積が減少することで刺通抵抗を下げることができる。
【００１５】
特許文献３には、縫合針を形成する金属との密着力の高いシリコーンを適当な間隔を開けた縞状又は斑状に塗布し、縫合針の表面に凹凸を形成し、その上から潤滑性の高いシリコーンを塗布したものを提案している。縞状又は斑状に塗布されたシリコーンが生体組織と接触することで、接触面積を減らし、刺通抵抗を下げることができる。
【先行技術文献】
【特許文献】
【００１６】
【特許文献１】特開平４−３１７６４４号
【特許文献２】特開平１１−７０１１３号
【特許文献３】特開２００９−１６０００６号
【発明の概要】
【発明が解決しようとする課題】
【００１７】
従来のシリコーンの塗布方法は、シリコーン液に縫合針を浸漬する方法であり、縫合針全体にシリコーンを塗布している。しかし、縫合針全体に塗布する必要はないので、シリコーンの無駄が多かった。また、縫合針の刺通抵抗は、一般に、刺通回数が増えるに従って、増加する傾向があり、刺通回数が増えても刺通抵抗の増加が少ない縫合針の出現が望まれていた。
【００１８】
本発明は、斯かる実情に鑑み、刺通回数が増えても刺通抵抗の増加が少なく、シリコーンの使用量を減らすことができるシリコーンを塗布した縫合針とその製造方法を提供することを目的としている。
【課題を解決するための手段】
【００１９】
上記の目的を達成するために本発明のシリコーンを塗布した縫合針は、所定の断面形状を有する胴部と、該胴部に続き、先端に向かって徐々に細くなるテーパ部と、を有する縫合針であって、該縫合針が、該縫合針の一方の側面側から液状のシリコーンを噴霧されてテーパ部の他方の側面側までシリコーンを塗布され、少なくとも前記胴部の一部にシリコーンが付着しない部分を有することを特徴としている。
前記縫合針の先端にシリコーンが塗布されている構成としたり、前記シリコーンが付着しない部分が、前記胴部の前記テーパ部に隣接する部分を含む構成としたりすることができる。
【００２０】
上記の目的を達成するために本発明のシリコーンを塗布した縫合針の製造方法は、所定の断面形状を有する胴部と、該胴部に続き、先端に向かって徐々に細くなるテーパ部と、を有する縫合針を支持する工程と、支持された縫合針の一方側から液状のシリコーンを噴霧して前記テーパ部の他方側までシリコーンを塗布する工程と、を有することを特徴としている。
【００２１】
前記縫合針を支持する工程が、縫合針を平坦な載置面上に載置して縫合針を前記胴部で支持する工程であり、前記テーパ部の前記胴部より細い部分が前記載置面から浮くように支持する工程である構成としたり、前記液状のシリコーンを噴霧して塗布する工程が複数回行われ、各噴霧工程の後で前記シリコーンを加熱乾燥する工程が行われる構成としたり、最後の噴霧の後にのみ前記シリコーンを加熱乾燥する工程が行われる構成としたり、することができる。
【発明の効果】
【００２２】
従来の噴霧塗布では、縫合針の一方の側面側からシリコーンを塗布し、次に他方の側面側からシリコーンを塗布していた。また、塗布対象としては、縫合針の全長が対象となっていた。これに対し、本発明によれば、縫合針の片側からシリコーンを噴霧して塗布し、かつ、縫合針の全長には塗布する必要がないので、塗布時間を短縮し、シリコーンの無駄を減らすことができる。また、切味に影響を及ぼす先端部分の全周にはしっかりとシリコーンが塗布され、刺通回数が増えても、刺通抵抗の増加を抑えることができる、という優れた効果を奏する。
【００２３】
特に、アイレス縫合針の場合は、縫合糸用に縫合針の基端面から軸に沿って開けた止まり穴の内にシリコーンが入ると、縫合糸の固定力が低下する。そのため、従来は止まり穴に水を入れてシリコーンの進入を防止していた。しかし、細く小さい縫合針の場合、止まり穴の中に水が入りにくく、シリコーンの進入防止が困難であった。これに対し、本発明では、縫合針の必要な部分のみにシリコーンを塗布することができ、簡単に、止まり穴を避けてシリコーンを噴霧塗布することができる、という効果もある。
【図面の簡単な説明】
【００２４】
【図１】本発明の縫合針の斜視図である。
【図２】縫合針を複数個、載置台上に並べて載置した状態を示す平面図である。
【図３】図２のＡ、Ｂ、Ｃ断面の状態を示す図である。
【図４】シリコーン液を噴霧した状態を示す図で、（ａ）は図３の（ａ）又は（ｂ）における噴霧状態を示す。（ｂ）は、図３（ｃ）における噴霧状態を示す図である。
【図５】シリコーンの塗布装置の構成を示す図である。
【図６】刺通回数に対する縫合針の刺通抵抗の変化を示すグラフである。
【発明を実施するための形態】
【００２５】
以下、本発明の実施の形態を添付図面を参照して説明する。
図１は、本発明の縫合針の斜視図である。この縫合針１０は、アイレス縫合針で、従来から公知の方法により製造されたものである。
【００２６】
図１に示すように、縫合針１０は基端部１１の一方の端部には基端面１１ａがあり、この基端面１１ａにレーザー加工法、電子ビーム加工法、放電加工法、ドリリング等の加工法によって止まり穴１２が形成されている。また縫合針１０の先端には鋭利な針先１３が形成されており、この針先１３から徐々に径が太くなるテーパ部１４が形成されている。
【００２７】
テーパ部１４の基端部１１側は、基端部１１と同じ外径の胴部１５となっている。基端部１１がほぼ直線状であるのに対し、胴部１５は湾曲している点で相違している。また、基端部１１は断面形状が円であるが、胴部１５の断面形状は円とは限らず、ほぼ平行な２平面を有する長円形状や、４平面を有するものや、鼓形状のものもある。
【００２８】
本発明の縫合針としては、図１に示すようなアイレス縫合針に限定されず、アイド縫合針でもよいし、丸針にも限定されず、三角針などの角針でもよい。また、先端を鈍に構成したものでも良い。
【００２９】
縫合糸２０としては、太さ、材質（ナイロン、シルク等）、モノフィラメントかマルチフィラメントか、等の構造等、多数の異なる種類のものが提供されている。そして縫合すべき生体組織及び縫合部位に応じて適切な種類の縫合糸を選択して用いている。縫合糸２０は、その先端が基端部の止まり穴１２に挿入され、プレス機などで止まり穴１２を潰してかしめることによって縫合針１０の基端部に固定される。縫合針１０は、縫合に必要な長さの糸が最初から固定され、アイド針のように糸を孔に挿通する手間が不要であるという利点を有する。
【００３０】
図２は、図１に示す縫合針１０を複数個、載置台２１上に並べて載置した状態を示す。このように載置台２１上に縫合針１０を並べて、載置台２１の上方からシリコーン溶液を噴霧する。
【００３１】
図３は、図２のＡ、Ｂ、Ｃ断面の状態を示す図である。図２のＡは縫合針１０の先端近傍の断面で、図２のＢはテーパ部１４の途中における断面である。縫合針１０は、図３（ｃ）に示すように、基端部１１と胴部１５とで、載置台２１の上面、すなわち、載置面２１ａに支持されているので、これらに比べて径が細いテーパ部は、図３（ａ）、（ｂ）のように、各断面は空中に浮いた状態になっている。
【００３２】
図４は、シリコーン液を噴霧した状態を示す図で、（ａ）は図３の（ａ）又は（ｂ）における噴霧状態を示す。（ｂ）は、図３（ｃ）における噴霧状態を示す図である。
【００３３】
図４（ａ）に示すように、縫合針１０の断面の直径が基端部１１よりも細いところでは、縫合針１０が載置台２１の載置面２１ａから離れた空間に浮かんでいる。一方、噴霧されたシリコーンは、小さな粒子３０となって縫合針の近くに浮かんでいる。シリコーンの粒子３０のあるものはゆっくりと載置面２１ａに向かって降下し、あるものはやや早く降下し、あるものは昇降しながら空中を漂っている。そして、縫合針１０のテーパ部１４や胴部１５や基端部１１等に近づいた粒子３０は、その部分に付着し、シリコーン層３１を形成していく。
【００３４】
テーパ部１４の基端部１１よりも細い部分は、図４（ａ）に示すように載置面２１ａとの間に隙間があるので、シリコーンの粒子３０は、縫合針１０の上面と両側面は勿論、下面にも付着し、結局、縫合針１０の全周に渡ってしっかりとシリコーン層３１が形成される。
【００３５】
一方、図４（ｂ）に示すように、胴部１５や基端部１１は、下側が載置面２１ａに接触しているので、上側と両側面にはシリコーンの粒子３０が付着するが、下側にはシリコーンが付着しない。
【００３６】
このような噴霧によるシリコーン液の塗布方法は、シリコーンの粒子３０が小さく、均等に付着するので、室温でも短時間で乾燥する。
【００３７】
乾燥したら、その上から再度シリコーンを同様に噴霧して塗布し、室温で乾燥させる。これを繰り返し、複数層（ここでは４層）のシリコーン層３１が形成されたら、１８０℃に加熱し、８時間掛けて乾燥する。この加熱乾燥が完了すれば、縫合針１０は完成となる。完成した縫合針１０は、胴部１５の載置面２１ａと接触していた線接触部分を中心にして両側にシリコーンが塗布されていない部分を有する。このシリコーンが塗布されていない部分は、胴部１５のテーパ部１４に隣接する部分から始まり、胴部１５のシリコーンが塗布された範囲全体に及んでいる。
【００３８】
本発明では、噴霧による塗布なので、乾燥が早いため、最後の噴霧塗装がされた後、１回だけ加熱乾燥すればよく、従来塗装ごとに行っていた加熱乾燥を短時間の室温乾燥に置き換えることができる。したがって、加熱乾燥に要する時間を大幅に短縮することができる。さらに、乾燥が早いため、シリコーンの濃度を浸漬塗布による場合よりも濃くすることができ、膜厚が厚いシリコーンを均一に塗布することができる。浸漬による場合、シリコーンの濃度が１％以上となる場合は乾燥時間が掛かるため採用することは好ましくないが、噴霧による場合は、１％以上の濃度を採用することが好ましい。
【００３９】
図５は、本発明のシリコーンを塗布した縫合針の製造装置の構成を示す図である。製造装置は、搬送装置としてのベルトコンベア３５と、ベルトコンベア３５の搬送経路の途中に設けられたシリコーンの噴霧装置としてのノズル３６と、ベルトコンベア３５に搬送される載置台２１と、ベルトコンベア３５の端部に設けられた乾燥炉３７とから構成される。
【００４０】
載置台２１の載置面２１ａには、図２に示すように多数の縫合針１０が載置されている。載置台２１が搬送されて、ノズル３６の下に達すると、ノズルからシリコーンが噴霧され、塗布される。塗布されたシリコーンは、載置台２１がベルトコンベア３５で移動して次のノズル３６に達するまでに室温で乾燥し、次のノズル３６により噴霧による塗布が行われる。このように、噴霧→乾燥→噴霧→乾燥を繰り返し、４回の塗布がされ、ベルトコンベア３５の最終端で、乾燥炉３７に送り込まれ、１８０℃、８時間の加熱乾燥がおこなわれることになる。なお、乾燥炉３７は、ベルトコンベア３５の端部に設けることに限定されるものではなく、ベルトコンベア３５から離れた場所に設置されていてもよい。
【００４１】
本発明の実施例では、噴霧によるシリコーンの塗布を４回行っているが、回数は、特に制限されない。ただし、１回ではシリコーン膜の厚さが薄いので、複数回繰り返すことが望ましい。
【００４２】
なお、本発明では、縫合針１０のテーパ部１４にのみシリコーンを塗布すればよいので、縫合針の全長に渡るなど、広範囲にシリコーンを噴霧する必要はない。また、テーパ部１４であっても、径が胴部１５に近いところでは、全周にシリコーンが塗布されていない可能性がある。しかし、縫合針１０の刺通抵抗は、本実施例のように丸針の場合、縫合針１０の先端と、先端からやや進入した位置でピークになるので、先端からテーパ部１４の長さの１／２程度までの部分が全周にシリコーンが塗布されていればよい。角針の場合でも、テーパ部１４の最大径の位置付近でピークとなる。したがって、胴部１５や基端部１１には全くシリコーンが塗布されていなくても、刺通抵抗が上がることはない。
【００４３】
また、上記の実施例は、断面形状が丸い丸針について説明してきたが、三角針などの角形縫合針でも同様の効果を得ることができる。すなわち、三角針の場合、先端の尖った針先から、テーパ状の三角錐が形成され、胴部に達する形状となっている。そこで、三角錐の部分に噴霧によるシリコーンの塗布を行えばよい。角形縫合針でも、浸漬によるコーティングを行った場合、先端を含むエッジ付近のコーティングは薄くなってしまうため、噴霧による塗布は効果的である。
【００４４】
図６は、刺通回数に対する縫合針の刺通抵抗の変化を示すグラフである。本発明から比較例３まで全て丸針で外径０．２４ｍｍの縫合針である。被刺通材は人造皮革ポールベアの厚さ０．４５ｍｍを使用して測定し、５本の平均値を記載した。刺通抵抗の単位はＮ（ニュートン）で、シリコーンの塗布方法は、以下の通りである。
【００４５】
〔本発明〕上記の実施例のように、載置台２１上に縫合針を載置し、上方からスプレーにより２．０％濃度のシリコーンを噴霧して塗装し、常温で短時間乾燥した。塗装場所は、縫合針の先端を含むテーパ部の全体と、一方の側面側である。塗装回数は４回で、最後の噴霧塗装の後１８０℃に加熱し、８時間掛けて加熱乾燥した。
【００４６】
〔比較例１〕噴霧塗装に代えて、０．８％濃度のシリコーン液に縫合針全体を浸漬することで塗装した。塗装回数は４回である。各浸漬の後、１８０℃で８時間ずつ４回加熱乾燥した。
【００４７】
〔比較例２〕噴霧塗装に代えて、０．８％濃度のシリコーン液に縫合針全体を浸漬することで塗装した。塗装回数は４回で、各浸漬の後、１８０℃で１時間ずつ３回加熱乾燥し、最後の浸漬塗装の後１８０℃で８時間掛けて加熱乾燥した。
〔比較例３〕他社の市販品で、シリコーンの塗布条件は不明であった。
【００４８】
図６のグラフを見ると、比較例２と比較例３は、刺通回数が増加するのに伴い、刺通抵抗が増加している。しかし、本発明と比較例１とは刺通回数が増加しても刺通抵抗が上昇しないことが分かる。本発明と比較例１は、ともに塗装回数は４回であるが、本発明では片側からの噴霧塗装であるのに対し、比較例１は浸漬塗装である。以上から、本発明によれば、従来のものより短時間で同じ性能のものを製造することができる、という格別の効果を奏することが分かる。また、本発明のものは噴霧塗装なので、シリコーンの量も少なくなり、無駄が少なくなる。さらに、本発明のものは噴霧塗装であり濃度を濃くしているため膜厚の厚いシリコーンが塗布でき、よって刺通回数が増加しても刺通抵抗が上昇しない、という結果が得られたと考えられる。
【００４９】
表１、表２は、別の実験例として、針の外径を０．１４ｍｍ、０．１８ｍｍ、０．２４ｍｍ（以上は表１）、０．２８ｍｍ、０．３３ｍｍ、０．３８ｍｍ（以上は表２）と変えていき、噴霧塗装と浸漬塗装とで、切味や切味耐久性がどのように変化するかについて、比較・検討した実験結果を示す表である。
【００５０】
【表１】
2012050477.tif 000003
【００５１】
【表２】
2012050477.tif 000004
【００５２】
被刺通材は、外径０．２８ｍｍ以下のものでは厚さ０．４５ｍｍのポールベアを使用し、外径０．３３ｍｍ以上のものでは厚さ１．１０ｍｍのポールベアを使用した。
【００５３】
〔本発明〕
上記の実施例のように、載置台２１上に縫合針を載置し、上方からスプレーにより２．０％濃度のシリコーンを噴霧して塗装した。塗装場所は、先端を含むテーパ部の全体と、胴部の途中までである。塗装回数は４回である。１回目と３回目の噴霧の後、１８０℃で４時間加熱乾燥し、２回目と４回目の噴霧の後、１８０℃で８時間加熱乾燥した。各外径で、１刺通目〜１０刺通目までの各刺通抵抗（５本の平均値）を測定した。刺通抵抗の単位はＮ（ニュートン）である。
【００５４】
〔比較例〕
比較例として、０．８％濃度のシリコーン液に縫合針を浸漬することで塗装した。塗装回数は４回である。１回目と３回目の浸漬の後、１８０℃で１時間加熱乾燥し、２回目と４回目の後、１８０℃で８時間加熱乾燥した。各外径で、１刺通目〜１０刺通目までの各刺通抵抗（５本の平均値）を測定した。
【００５５】
実験の結果、外径０．１４ｍｍから０．３８ｍｍのものすべてにおいて、本発明のスプレー式の方が、１刺通目から１０刺通目までの刺通抵抗の平均値が小さいことがわかった。浸漬式の刺通抵抗の平均値をスプレー式の刺通抵抗の平均値で割った値を求め切味を比較したところ、外径が０．１４ｍｍのものでは２．０を越えており、特に顕著に優位性が現れることがわかった。実験結果により、本発明は、特に細径の縫合針に適用した場合に、格別の効果を奏することがわかった。
【００５６】
また、スプレー式と浸漬式の双方について、それぞれ、１０刺通目の刺通抵抗を、１刺通目刺通抵抗で割った値（「刺通抵抗増加率」という）を求めたところ、外径０．１４ｍｍから０．３８ｍｍのものすべてにおいて、スプレー式の方の値が低くなった。これは、１０回刺通しても、刺通抵抗の増加が小さく切味耐久性が良いということで、図６の結果を裏付けるものとなった。
【００５７】
さらに、浸漬式の刺通抵抗増加率をスプレー式の刺通抵抗増加率で割った値を求め切味耐久性を比較したところ、外径０．１４ｍｍと、０．１８ｍｍでは２．０を越えていた。すなわち、本発明は、特に細径の縫合針で、効果が大きいことが分かった。
【００５８】
上記実験をまとめると、切味と切味耐久性の両方において、本発明のスプレー式で行った方が有利な結果が得られることがわかった。また、特に細径の縫合針において効果が高いことが認められ、前記したとおり、細径の縫合針は止まり穴の中にシリコーンが進入することを防止するための水が入りにくいということも鑑みると、細径の縫合針については本発明のスプレー式を採用することが最適ということがわかった。また特に外径が０．２８ｍｍ以下の縫合針では、従来の浸漬式の場合と切味耐久性を比較すると１．５９倍以上良いという結果となっており、特に好ましく適用できることがわかった。
【符号の説明】
【００５９】
１０    縫合針
１１    基端部
１１ａ  基端面
１２    止まり穴
１３    針先
１４    テーパ部
１５    胴部
２０    縫合糸
２１    載置台
２１ａ  載置面
３０    シリコーンの粒子
３１    シリコーン層
３５    ベルトコンベア（搬送装置）
３６    ノズル（噴霧装置）
３７    乾燥炉
【図１】
2012050477.tif 000005
【図２】
2012050477.tif 000006
【図３】
2012050477.tif 000007
【図４】
2012050477.tif 000008
【図５】
2012050477.tif 000009
【図６】
2012050477.tif 000010